【手続補正書】
【提出日】平成19年10月1日(2007.10.1)
【手続補正１】
【補正対象書類名】特許請求の範囲
【補正対象項目名】全文
【補正方法】変更
【補正の内容】
【特許請求の範囲】
【請求項１】
ユーザのコンテキストに基づいたコンタクト情報の検索方法であって、
前記ユーザが操作するコンピュータの表示手段で表示されているドキュメントをモニタ手段によりモニタして、前記ユーザのコンテキストのコンタクト関連部分として前記モニタ手段により取得した該ドキュメントに含まれるテキストを解析して他との通信に利用される情報を含む部分を識別し、
識別された前記コンタクト関連部分を解析し、
解析された前記コンタクト関連部分に基づいて、データベースからコンタクト情報要素を０個または１個以上検索する
ことを特徴とするコンタクト情報の検索方法。
【請求項２】
前記ユーザのコンテキストを前記モニタ手段によりモニタして、前記ユーザのコンテキストのコンタクト関連部分を識別する際、
前記ユーザのコンテキストを、各々がコンタクト関連部分候補を表す複数の探索可能な表現要素に変換し、
探索可能な各表現について、その探索可能な表現要素がコンタクト関連部分であるかどうかを判定する
ことを特徴とする請求項１に記載のコンタクト情報の検索方法。
【請求項３】
探索可能な表現要素がコンタクト関連部分であるかどうかを判定する際、その探索可能な表現要素が、少なくとも郵便番号、電子メールアドレス、ネットワーク上の拠点、電話番号のうちの少なくとも１つであるかどうかを判定する
ことを特徴とする請求項２に記載のコンタクト情報の検索方法。
【請求項４】
識別された前記コンタクト関連部分を解析する際、
前記複数の探索可能な表現要素の識別された各コンタクト関連部分を、前記データベースに含まれるコンタクト情報と比較し、
識別された各コンタクト関連部分について、そのコンタクト関連部分が前記データベースのコンタクト情報要素と一致するかどうかを判定し、
識別された前記コンタクト関連部分の１つと前記コンタクト情報要素の１つとの判定された各一致にスコアを割り当て、
割り当てられた前記スコアに基づいて、識別された前記コンタクト関連部分と前記コンタクト情報要素との各一致ごとに、前記ユーザのコンテキストに関連するコンタクト情報要素を０個または１個以上決定する
ことを特徴とする請求項２に記載のコンタクト情報の検索方法。
【請求項５】
割り当てられた前記スコアに基づいて、識別された前記コンタクト関連部分と前記コンタクト情報要素との各一致ごとに、前記ユーザのコンテキストに関連するコンタクト情報要素を０個または１個以上決定する際、各一致ごとに割り当てられた前記スコアをスコア閾値と比較する
ことを特徴とする請求項４に記載のコンタクト情報の検索方法。
【請求項６】
識別された前記コンタクト関連部分と前記コンタクト情報要素との各一致にスコアを割り当てる際、少なくとも２つの相互関連する一致のうち少なくとも１つに結合スコアを割り当てる
ことを特徴とする請求項４に記載のコンタクト情報の検索方法。
【請求項７】
さらに、前記コンタクト情報要素の一致に割り当てられた前記スコアに基づいて、前記コンタクト情報要素のランク付けを行う
ことを特徴とする請求項４に記載のコンタクト情報の検索方法。
【請求項８】
さらに、所定の閾値を超えるスコアに対応するコンタクト情報要素を含む表示リストを作成する
ことを特徴とする請求項４に記載のコンタクト情報の検索方法。
【請求項９】
所定の閾値を超えるスコアに対応するコンタクト情報要素を含む表示リストを作成する際、さらに、最大値を有する最大ｎ個のコンタクト情報要素に前記表示リストを限定する
ことを特徴とする請求項８に記載のコンタクト情報の検索方法。
【請求項１０】
さらに、最大値を有する所定数ｎ個のスコアに対応するコンタクト情報要素を含む表示リストを作成する
ことを特徴とする請求項４に記載のコンタクト情報の検索方法。
【請求項１１】
さらに、前記表示リストを前記ユーザのコンテキスト内に表示する
ことを特徴とする請求項８に記載のコンタクト情報の検索方法。
【請求項１２】
前記ユーザのコンテキストをモニタして、前記ユーザのコンテキストのコンタクト関連部分を識別する際、
前記データベースに含まれる少なくとも１つのコンタクト情報要素の少なくとも１つの表現を決定し、
決定された各表現について、その決定された表現に一致する少なくとも１つのコンタクト関連部分がユーザの現在のコンテキストにあるかどうかを判定する
ことを特徴とする請求項１に記載のコンタクト情報の検索方法。
【請求項１３】
前記データベースに含まれる少なくとも１つのコンタクト情報要素の少なくとも１つの表現を決定する際、少なくとも１つのコンタクト情報要素から、決定された前記少なくとも１つの表現として少なくとも１つの規則的な表現を生成する
ことを特徴とする請求項１２に記載のコンタクト情報の検索方法。
【請求項１４】
決定された各表現について、その決定された表現に一致する少なくとも１つのコンタクト関連部分がユーザの現在のコンテキストにあるかどうかを判定する際、生成された前記少なくとも１つの規則的な表現を用いて、前記ユーザの現在のコンテキストを問い合わせる
ことを特徴とする請求項１２に記載のコンタクト情報の検索方法。
【請求項１５】
コンタクト情報を記憶するデータベースと、
ユーザが操作するコンピュータの表示手段で表示されているドキュメントをモニタしてユーザの現在のコンテキストを取得するモニタ手段と、
前記ユーザのコンテキストのコンタクト関連部分として、前記モニタ手段により取得した該ドキュメントに含まれるテキストを解析して他との通信に利用される情報を含む部分を識別する識別手段と、
識別された前記コンタクト関連部分に基づいて前記データベースからコンタクト情報を検索する検索手段と、
前記ユーザの現在のコンテキストに対して検索した前記コンタクト情報を表示手段に表示する、
を備えることを特徴とする情報検索システム。
【請求項１６】
前記データベースが、個人名、組織名、役職、名刺画像、映像記録、音声記録、郵便住所、ネットワーク上の拠点、電子メールアドレス、少なくとも１つの電話番号のうちの少なくとも１つを含む
ことを特徴とする請求項１５に記載の情報検索システム。
【請求項１７】
前記コンタクト情報検索システムが、コンテキストモニタサブシステム、情報解析サブシステム、コンタクト情報表示サブシステムのうちの少なくとも１つを備える
ことを特徴とする請求項１５に記載の情報検索システム。
【請求項１８】
前記コンテキストモニタサブシステムが、ユーザの現在のコンテキストの内容に基づいてコンタクト情報を識別する
ことを特徴とする請求項１７に記載の情報検索システム。
【請求項１９】
前記コンテキストモニタサブシステムが、前記ユーザの現在のコンテキストの内容に含まれる個人名、組織名、役職、名刺画像、映像記録、音声記録、郵便住所、ネットワーク上の拠点、電子メールアドレス、少なくとも１つの電話番号のうちの少なくとも１つを認識する
ことを特徴とする請求項１８に記載の情報検索システム。
【請求項２０】
前記コンテキストモニタサブシステムが、郵便番号を認識することによって郵便住所を認識し、認識した郵便番号とその郵便番号の前の所定量のデータとをメモリに記憶する
ことを特徴とする請求項１９に記載の情報検索システム。
【請求項２１】
前記情報解析サブシステムが、個人名、組織名、役職、名刺画像、映像記録、音声記録、郵便住所、ネットワーク上の拠点、電子メールアドレス、少なくとも１つの電話番号のうち認識された少なくとも１つを、前記データベースに記憶されている少なくとも１つのコンタクト情報要素と一致させる
ことを特徴とする請求項１９に記載の情報検索システム。
【請求項２２】
前記情報解析サブシステムが、前記データベースに記憶されている少なくとも１つのコンタクト情報要素と一致する、個人名、組織名、役職、住所、ネットワーク上の拠点、電子メールアドレス、少なくとも１つの電話番号のうちの一致する少なくとも１つにスコアを割り当てる
ことを特徴とする請求項２１に記載の情報検索システム。
【請求項２３】
前記情報解析サブシステムが、前記データベースに記憶されている少なくとも１つのコンタクト情報要素と部分的に一致する、個人名、組織名、役職、住所、ネットワーク上の拠点、電子メールアドレス、少なくとも１つの電話番号のうちの一致する少なくとも１つに部分的なスコアを割り当てる
ことを特徴とする請求項２１に記載の情報検索システム。
【請求項２４】
一致するコンタクト情報が、前記ユーザの現在のコンテキストに基づいてランク付けされ、ユーザに出力される
ことを特徴とする請求項２１に記載の情報検索システム。
【請求項２５】
コンタクト情報を含むデータベースと、
前記データベースにコンタクト情報を入力する情報収集装置と、
ユーザが操作するコンピュータの表示手段で表示されているドキュメントをモニタ手段によりモニタしてユーザの現在のコンテキストを取得し、前記ユーザのコンテキストのコンタクト関連部分として、前記モニタ手段により取得した該ドキュメントに含まれるテキストを解析して他との通信に利用される情報を含む部分を識別する情報モニタ装置と、
識別したコンタクト情報候補にスコアを割り当てる情報解析装置と、
前記コンタクト情報候補に関連付けられたスコアに基づいて、０個または１個以上のコンタクトをユーザに通知するデータ出力装置とを備える
ことを特徴とする情報検索装置。
【請求項２６】
コンピュータを、
ユーザが操作するコンピュータの表示手段で表示されているドキュメントをモニタ手段によりモニタして、前記ユーザのコンテキストのコンタクト関連部分として、前記モニタ手段により取得した該ドキュメントに含まれるテキストを解析して他との通信に利用される情報を含む部分を識別する識別手段、
識別された前記コンタクト関連部分を解析する解析手段、
解析された前記コンタクト関連部分に基づいて、データベースからコンタクト情報要素を０個または１個以上検索する検索手段、
として機能させるためのプログラム。